(57)【特許請求の範囲】
【請求項１】
圧力容器（１０）の開口部（１２）に蓋部（１１）を装着するための蓋クランプ装置（１）であって、
前記開口部（１２）を挿通して前記圧力容器（１０）に固定されるフレーム部（８）と、
前記フレーム部（８）に回転可能に支持されると共に、互いに平行に配置された一対のロッド部（３，３’）と、
前記ロッド部（３，３’）に固定された押圧部（２）と、
前記ロッド部（３，３’）の一方側に設けられると共に、前記ロッド部（３，３’）を回転するための１つのシリンダ部（６）と、
前記ロッド部（３，３’）の他方側に設けられると共に、前記ロッド部（３，３’）を回転可能に連結するリンク部（７）と、
を備え、
前記シリンダ部（６）は、前記ロッド部（３，３’）の中心軸を結ぶ方向（３ａ）に延設されると共に、前記ロッド部（３，３’）の中心軸の間に配置され、
前記リンク部（７）は、前記ロッド部（３，３’）の中心軸を結ぶ方向（３ａ）に交差するように所定角度（θ）に傾斜した方向に延設され、
前記シリンダ部（６）が一方の前記ロッド部（３）を正回転させると、前記リンク部（７）が他方の前記ロッド部（３’）を逆回転し、それによって、前記ロッド部（３，３’）に支持された前記押圧部（２）が、前記蓋部（１）を前記開口部（１２）に押し付ける
ことを特徴とする圧力容器の蓋クランプ装置。
【発明の詳細な説明】
【技術分野】
【０００１】
本発明は、圧力容器の開口部に蓋部を装着するための蓋クランプ装置に関する。
【背景技術】
【０００２】
圧力容器は、処理物を収納して、加圧、負圧、加熱等する耐圧缶胴と、この缶胴から処理物を取り出すための開口部と、開口部を塞ぐ蓋部とを備える。圧力容器は、開口部と蓋部とを密封するためのクランプリングが用いられる（例えば、特許文献１参照）。開口部と蓋部とは、クランプリングをボルト・ナットなどの締結部材で締結することで密閉される。また、その他の方法では、開口部と蓋部とは、スタッドボルトとナットとで直接締結されて密封される（例えば、特許文献２及び特許文献３参照）。
【０００３】
従って、作業者による締結部材の締結力が不足していたり、複数の締結部材の締結力が不均等であると、開口部から圧力漏れが発生して、所望の処理物を製造できないことがある。また、ボルト締結には、作業者の煩雑な作業を必要とし、また狭い場所での作業を必要とする場合もあるので、素早く蓋部を着脱できない不都合もある。
【先行技術文献】
【特許文献】
【０００４】
【特許文献１】特開平１１−２１８２２０号公報
【特許文献２】特開平５−８７２４３号公報
【特許文献３】特開平８−２９１８６２号公報
【発明の概要】
【発明が解決しようとする課題】
【０００５】
そこで、本発明が解決しようとする課題は、蓋部を圧力容器の開口部に確実且つ急速に着脱することが可能な蓋クランプ装置を提供することである。
【課題を解決するための手段】
【０００６】
上記した課題を解決するために、本発明に係る圧力容器の蓋クランプ装置は、
圧力容器の開口部に蓋部を装着するための蓋クランプ装置であって、
開口部を挿通して圧力容器に固定されるフレーム部と、
フレーム部に回転可能に支持されると共に、互いに平行に配置された一対のロッド部と、
ロッド部に固定された押圧部と、
ロッド部の一方側に設けられると共に、ロッド部を回転するための１つのシリンダ部と、
ロッド部の他方側に設けられると共に、ロッド部を回転可能に連結するリンク部と、
を備え、
シリンダ部は、ロッド部の中心軸を結ぶ方向に延設されると共に、ロッド部の中心軸の間に配置され、
リンク部は、ロッド部の中心軸を結ぶ方向に交差するように所定角度に傾斜した方向に延設され、
シリンダ部が一方のロッド部を正回転させると、リンク部が他方のロッド部を逆回転し、それによって、ロッド部に支持された押圧部が、蓋部を開口部に押し付ける。
【発明の効果】
【０００９】
上記の通り、本発明は、圧力容器の開口部に蓋部を押し付けるための押圧部と、押圧部に押し付け力を作用させるためのシリンダ部とを備える。これにより、シリンダ部の駆動によって、押圧部に押し付け力を作用させることができるので、蓋部を開口部に確実且つ急速に着脱できる。
【図面の簡単な説明】
【００１０】
【図１】本発明の蓋クランプ装置を示す平面図。
【図２】蓋クランプ装置を示し、（ａ）は一方側から観た側面図、（ｂ）は他方側から観た側面図。
【図３】蓋クランプ装置を圧力容器に取り付けた状態を示す側面図。
【発明を実施するための形態】
【００１１】
以下、添付図面に基づいて、本発明に係る蓋クランプ装置について説明する。
【００１２】
図１及び図２の通り、蓋クランプ装置１は、矩形状に枠組みされたフレーム部８を備える。蓋クランプ装置１は、フレーム部８の内側に平行に設けられた一対のロッド部３，３’を備える。各ロッド部３，３’は、フレーム部８に設けられたベアリング部５を介して回転支持される。各ロッド部３，３’は、一対の支持部４を備える。支持部４は、ロッド部３，３’に対して固定されており、ロッド部３，３’の回転に伴って回転する。支持部４は、端部に押圧部２を備える。押圧部２は、車輪状になっており、支持部４に回転自在に支持される。
【００１３】
蓋クランプ装置１は、一方側に１つの油圧式又は電動式等のシリンダ部６（図２（ａ））を備える。シリンダ部６は、フレーム部８に設けられた回転部６２を介して回転支持される。シリンダ部６は、蓋クランプ装置１をコンパクトにするために、各ロッド部３，３’の中心を結ぶ方向に延設される。シリンダ部６は、シリンダロッド６０を伸縮駆動する。シリンダロッド６０は、端部にアーム部６１を回転支持する。アーム部６１は、ロッド部３の一方側に固定される。シリンダ部６は、回転部６２を中心に回転自在なので、シリンダ部６がシリンダロッド６０を伸縮することで、アーム部６１を介して、ロッド部３を正逆方向に回転できる。
【００１４】
蓋クランプ装置１は、他方側に１つのリンク部７（図２（ｂ））を備える。リンク部７は、両端に連結部７０を備える。各ロッド部３，３’は、他方側にアーム部７１を備える。アーム部７１は、各ロッド部３，３’の他方側に固定される。連結部７０とアーム部７１とは回転自在に支持される。リンク部７は、各ロッド部３，３’の中心軸を結ぶ方向３ａに交差するように所定角度θに傾斜した方向に延設される（図２（ｂ））。これにより、シリンダ部６が一方のロッド部３を正方向に回転すると、他方のロッド部３’が逆方向に回転する。同様に、シリンダ部６が一方のロッド部３を逆回転すると、他方のロッド部３’が正回転する。即ち、各ロッド部３，３’は反対方向に回転する。
【００１５】
図２の通り、蓋クランプ装置１は、シリンダ部６を駆動することで、押圧部２を下方位置（解除位置、図２の実線）と上方位置（クランプ位置、図２の一点鎖線）とに移動する。蓋クランプ装置１は、一方のロッド部３に２つのセンサーフィン３０を固定し、フレーム部８に各センサーフィン３０を検知するための両端検知センサー３１を備える。そして、各センサーフィン３０を両端検知センサー３１で検知することで、ロッド部３のそれぞれの位置を検知して、押圧部２の下方位置と上方位置とを検知するようにしてもよい。
【００１６】
図３の通り、蓋クランプ装置１は、連結フレーム９を介して圧力容器１０に固定される。圧力容器１０は、処理物を収納して加圧及び負圧等する耐圧缶胴１３を備える。圧力容器１０は、缶胴１３の下部にバタフライ弁部１４を備え、バタフライ弁部１４を開くことで処理物を回収可能にする。圧力容器１０は、バタフライ弁部１４の下部に開口部１２を備える。開口部１２は、周方向に突出したフランジ部１２ａを備える。開口部１２は、蓋部１１で閉じられることで、圧力容器１０を密封する。蓋部１１は、周方向に突出したフランジ部１１ａを備える。蓋部１１のフランジ部１１ａと開口部１２のフランジ部１２ａとが互いに密着することで、圧力容器１０の開口部１２は蓋部１１で密封される。
【００１７】
蓋クランプ装置１は、開口部１２をフレーム部８の内側に挿通して配置される。蓋クランプ装置１は、押圧部２を下方位置（解除位置）に配置した状態で、蓋部１１が開口部１２に配置される。尚、押圧部２は、下方位置にあるとき、蓋部１１より離れて位置するので、蓋部１１を開口部１２に配置できる。そして、蓋クランプ装置１は、シリンダ部６を駆動して、押圧部２を上方位置（クランプ位置）に移動する。これにより、押圧部２が、蓋部１１のフランジ部１１ａを押し付けて（図１の一点鎖線）、所定の押し付け力で蓋部１１のフランジ部１１ａが開口部１２のフランジ部１２ａに密着する。その結果、圧力容器１０の開口部１２は蓋部１１で密封される。
【００１８】
ロッド部３の回転力によって押圧部２に押し付け力を作用するので、蓋クランプ装置１をコンパクトにできると共に、強力なトルク力を付与できる。また、１つのシリンダ部６で、リンク部７を介して一対のロッド部３，３’を回転するので、各押圧部２に対して均等な押し付け力を付与できる。
【００１９】
上記した実施形態の他に、シリンダ部６のシリンダロッド６０の伸縮駆動によって、ロッド部３を介さずに押圧部２を移動させて押し付け力を作用させてもよい。また、シリンダ部６は複数個設置されていてもよい。
【符号の説明】
【００２０】
１  蓋クランプ装置
２  押圧部
３，３’  ロッド部
６  シリンダ部
７  リンク部
８  フレーム部
１０  圧力容器
１１  蓋部
１２  開口部
【図１】
0005649054.tif 000002
【図２】
0005649054.tif 000003
【図３】
0005649054.tif 000004